(57)【特許請求の範囲】
【請求項１】
柄部の左右先端部に一対の装着部を設けた軸受板の内側に、さらに、底部に半円形状の窪みを設けたガイド板を設けており、またさらに、半円形状の底部には突起部を設けており、そして、ブラシ材を装着する多角形状の回転軸には、頂点部をL字状にカットして爪と支持軸用の挿通用穴を設けており、前記多角形状の回転軸を介してブラシ材を多角形状の回転軸に装着、前記挿通用穴に支持軸を挿通して、前記記載の左右一対の軸受板の装着部に取り付ける構成としたことを特徴とする回転ブラシ。
【請求項２】
柄部の左右一対の軸受板の内側に設けたガイド板底部の突起部と、さらに、多角形状の回転軸の頂点をL字状にカットして設けられている爪との作用により、歯磨き前進回転時一定の摩擦抵抗を超えた場合回転可能であり、そして、歯磨き後退には回転不可能になるラチェット機構に構成していることを特徴とする請求項１記載の回転ブラシ。
【請求項３】
柄部の左右一対の軸受板の内側に設けたガイド板底部の突起部と、さらに、多角形状の回転軸の頂点を逆L字状にカットして設けられている爪との作用により、歯磨き前進回転時回転不可能であり、後退時は一定の摩擦抵抗を超えた場合回転可能なラチェッ機構を構成していることを特徴とする請求項１記載の回転ブラシ。
【請求項４】
前記記載のラチェット機構を設けるために、回転歯ブラシの柄部及び回転軸には弾性を有するプラスチック材料を用いた請求項1又は２記載の回転歯ブラシ。
【発明の詳細な説明】
【技術分野】
【０００１】
本発明は、回転歯ブラシに関する。
【背景技術】
【０００２】
従来使用されている一般的な歯ブラシの場合は、歯磨き時、前進と後退を繰り返えすだけの回転歯ブラシ等は提供されている。
【０００３】
また、前記３６０度回転する歯ブラシの場合は、一般的に使用されている平ブラシのように歯磨き後退時回転しない回転歯ブラシはない。
【発明の開示】
【発明が解決しようとする課題】
【０００４】
以上述べたように従来使用されている回転歯ブラシで、歯磨き前進時回転し、後退時回転不可能なラチェット機構で構成されている回転歯ブラシはなかつた。
【０００５】
本発明は上記記載の従来の回転歯ブラシの構成が有していた問題点を解決しようとするものである。
【課題を解決するための手段】
【０００６】
以下上記問題点を解決するために本発明の回転歯ブラシに付いて説明する。
【０００７】
柄部３の左右先端部１には一対の装着部１２を設けた軸受板４，４aの内側に、さらに、底部を半円形状５に設けたガイド板１０，１０aを設けており、前記半円形状５の底部には突起部１１，１１aを設けており、そして、ブラシ材５を装着する挿入用穴６を備えた多角形状の回転軸７には、頂点部８をL字状９にカットして爪１４を設けており、前記多角形状の回転軸７を介してブラシ材５を多角形状の回転軸７に装着し、前記挿通用穴６に支持軸１８を介して、前記左右一対の軸受板４，４aの装着部１２に取り付けるラチェット機構を設けたことを特徴とする回転ブラシ１である。
【０００８】
柄部３の左右一対の軸受板４，４aの内側に設けたガイド板１０．１０a底部の突起部１１，１１aと、さらに、多角形状の回転軸７頂点部８をL字状９にカットして設けられている爪１４との作用により、歯磨き前進回転時一定の摩擦抵抗を超えた場合回転可能であり、前記作用により歯磨き後退には回転不可能になるラチェット機構１３、１３aに設けられている回転ブラシ１である。
【０００９】
前記記載のラチェット機構１３，１３aを設けるために、回転歯ブラシ１の柄部３及び多角形状の回転軸７に用いる材料等はすスプリング効果が可能な弾性を有するプラスチック材料が好ましい。
【００１０】
また、半円形状のガイド板１０，１０aの底部に設けられる突起部１１，１１aの位置は、前記半円形状５の側面に設ければよく限定するものではないが、左右先端部又は中央部に設けることが好ましい。
【００１１】
また、前記突起部１１、１１aを設ける数やサイズ等は、下記に記載される多角形状の回転軸７に設けられる爪との作用が最大限に発揮されるよう適宜なサイズや位置に設ければ良く限定するものではない。
【００１２】
多角形状の回転軸７の頂点部８をL字状９にカットして設けられている爪はバネの効果発揮可能な範囲に設けられており、さらに、設ける爪１４のサイズは適宜に設けられており、また、数は１箇所だけでも良いが限定するものではない。
【００１３】
さらに、前記爪１４のサイズ等についても、上述された突起部１１，１１a
とのラチェット機構の作用が最大限に効果を発揮できるサイズ等に設ければ良く限定するものではない。
【００１４】
また、前記ガイド板１０，１０aの底部に設けられている突起部１１．１１a
の強度、位置、幅、厚み等は、下記に記載されている多角形状の回転軸７の頂点部８に設けられている爪１４との作用により前進時回転時に一定の摩擦抵抗を超えた場合回転可能であり、かっ、後退時回転不可能に成るラチェット機構の効果が最大限に発揮可能な範囲で適宜に設けられている。
【００１５】
さらに、多角形状の回転軸７の頂点部８をL字状にカットして設けられている爪１４の位置は、前記ガイド板１０，１０aの突起部１１，１１aと同位置又は、前記多角形状の回転軸長手方向全体でも良く限定するものではない。
【００１６】
また、多角形状の回転軸７を介して装着されているブラシ材１５の開口部１６の形状は、回転歯ブラシ１使用時空転しないよう前記記載の多角形状の回転軸７と同形状に設けられている。
【００１７】
さらに、前記記載のブラシ材１５のシートは開口部１６の周囲を溶着して設けられており、また、外周周囲の形状は、山型形状１９や、多角形状２０及び円形形状２１でも良く限定するものではない。
【００１８】
また、ブラシ材１５に用いる材料は、限定するものではないが、価格的にも安価なナイロン素材が好ましく、柄部３や多角形状の回転軸７及び支持軸１８に用いる材料等は弾性を有するププラスチック材料を用いることが好ましい。
【００１９】
また、柄部左右一対の軸受板４，４aとガイド板１０，１０板との間に、多角形状の回転軸７を介してブラシ材１５を装着して挿入用穴１８を介して前記軸受板４，４aの装着部１２に設けられる前記ブラシ材１５のシートの枚数は、歯磨き効果か期待できる範囲で適宜に設ければ良く限定するものではない。
【００２０】
さらに、まあた、柄部の左右一対の軸受板の内側に設けたガイド板１０底部の突起部１１b,１１cと、さらに、多角形状の回転軸7の頂点を逆L字状にカットして設けられている爪１４aとの作用により、歯磨き前進回転時回転不可能であり、後退時は一定の摩擦抵抗を超えた場合回転可能なラチェッ機構を構成１３aしていることを特徴とする回転ブラシ1である。
【発明の効果】
【００２１】
上述したように本発明の回転歯ブラシは、歯磨き前進時は回転するが、後退時は回転不可能なラチェット機構を構成されている回転歯ブラシである。
【００２２】
従来の回転歯ブラシ大いに異なることは、回転歯ブラシと平ブラシとの２種類の機能を同時に設けられている画期的な回転歯ブラシである。
【００２３】
また、歯磨き前進時ガイド板に設けられている突起部と、多角形状の回転軸の頂点部に設けられている爪との作用により一定の摩擦抵抗を超えた場合に回転可能に設けられている。
【００２４】
さらに、ブラシ材の先端部が歯間部に入りやすく、残留物を掻き出す効果が大いに期待でき、さらに、前記記載の作用により後退時には回転不可能なラチェット機構の効果により、歯の表面や歯茎を磨く効果が大いに期待できる回転歯ブラシである。
【００２５】
また、さらに、柄部の左右一対の軸受板の内側に設けたガイド板底部の半円形状の突起部と、ブラシ材を装着する多角形状の回転軸の頂点部に設けた爪との作用により、歯磨き前進時一定の摩擦抵抗を超えた場合回転可能であり、かつ、後退時は回転不可能であり、また、突起部と爪を逆方向に設けることにより前進時は回転不可能であり、後退時は回転可能になるラチェット機構に構成された回転歯ブラシである。
【００２６】
また、特に山型形状のブラシ材の回転歯ブラシの場合は、その形状から毛先が歯間部や歯茎に入りやすく、さらに、回転ブラシの形状の効果として歯裏側の歯磨き時の効果が期待できる。
【００２７】
上記に述べた通りラチェット機構を構成されていることにより、回転歯ブラシと平ブラシの機能を同時に設けられえいる回転歯ブラシであり、歯間部や歯周ポケットに入り易く、歯ブラシ使用時ブラシ材と接触面が広く、磨き残し少なく歯磨き効果が期待可能な回転歯ブラシである。
【発明を実施するための最良の形態】
【００２８】
実施例に係る実施形態について図１から図１６を参照してさらに詳細に説明する。なお、本発明の範囲は特許請求の範囲記載のものであって、以下の実施形態に限定されないことはいうまでもない。
【００２９】
以下，本発明の実施例１の図１から図１３に基づき説明する。
【００３０】
図１は、山型、多角形及び円形形状のブラシ材１５を装着前の回転歯ブラシの柄部３であり、２は先端部、４は先端部２左右一対に設けられている軸受板４、１２は装着部であり、Ａ−Ａ’は、図２の方向を示している柄部の正面図である。
【００３１】
図２は、図１のＡ−Ａ’の方向を示している正面図であり、そして、１０、１０ａは、柄部３先端部２の左右一対に設けられている軸受板、４，４ａの内側に設けられているガイド板であり、１２は装着部を示している。
【００３２】
図３は、多角形の回転軸７の頂点部８をL字状にカットして長手方向全体に爪１４と、柄部の軸受板の装着用の支持軸１８挿通用穴６を示している多角形状の回転軸７の斜視図である。
【００３３】
図４は、ラチェット機構をガイド板１０、１０ａの中央部に構成した図１の底面を示す図である。３は柄部、４，４ａ軸受板、７は多角形状の回転軸、１８は支持軸の取り付ける１２は装着部である。
【００３４】
図５は、図４のＢ−Ｂ’方向を示す断面拡大図である。３は柄部、５は半円形状の中央部に突起部１１を設けたガイド板１０の底部であり、７は、頂点部８をL字状９にカットして爪１４と、支持軸１８挿通用穴６を設けた多角形状の回転軸であり、１３は、ラチェット機構１３を示している。
図６は、図５のラチェット機構１３を構成しているガイド板１０の底部と多角形状の回転軸７を示している拡大図である。
【００３５】
ガイド板１０底部を半円形状５に設け、さらに、半円形状５中央部に突起部１１を設けられている。そして、多角形状の回転軸７の頂点部８をL字状にカットして爪１４と、軸受板の装着部に取り付けるため前記記載の多角形状の回転軸７には、支持軸８挿通用穴６を設けられている。
【００３６】
図７は、装着する多角形状の回転軸の形状と同形状に設けた開口部１６でえあり、１７は、溶着部、そして、周囲を山型形状１９に設けられているブラシ材１５を示す平面図である。
【００３７】
図８は、図７の山型形状１９ブラシ材１５を多角形状の回転軸に装着して支持軸を介して柄部３の装着部１２に取り付けた回転歯ブラシ正面図である。
【００３８】
図９は、装着する多角形状の回転軸の形状と同形状に設けた開口部１６であり、１７は、溶着部、そして、周囲を多角形状２０に設けられているブラシ材１５を示す平面図である。
【００３９】
図１０は、図８は、図７の多角形状２０ブラシ材１５を多角形状の回転軸に装着して支持軸を介して柄部３の装着部１２に取り付けた回転歯ブラシ正面図である。
【００４０】
図１１は、装着する多角形状の回転軸の形状と同形状に設けた開口部１６であり、１７は、溶着部、そして、周囲を円形状２１に設けられているブラシ材１５を示す平面図である
【００４１】
図１２は、図１１の円形状２１ブラシ材１５を多角形状の回転軸に装着して支持軸を介して柄部３の装着部１２に取り付けた回転歯ブラシ正面図である。
【００４２】
図１３は、図８のＣ−Ｃ’方向を示す中央断面拡大図である。４，４ａは柄部の軸受板と１２は装着部であり、１０，１０ａはガイド板、そして、ブラシ材を１５装着した多角形状の回転軸７を、支持軸１８で前記装着部１２に取り付けている。
【００４３】
以下本発明の実施例２の図１４から図１６に基づいて説明する。
【００４４】
図１４は、ラチェット機構をガイド板１０、１０ａの左端部に構成した図１の底面を示す図である。３は柄部、４，４ａ軸受板、７は多角形状の回転軸、１８は支持軸の取り付ける１２は装着部である。
【００４５】
図１５は、図１４のＤ−Ｄ’方向を示す断面拡大図である。３は柄部、５は半円形状の左端部に突起部１１ａを設けたガイド板１０の底部であり、７は、頂点部８をL字状９にカットして爪１４と、支持軸１８挿通用穴６を設けた多角形状の回転軸であり、１３は、ラチェット機構を示している。
【００４６】
図１６は、図５のラチェット機構１３ａ構成しているガイド板１０の底部と多角形状の回転軸７を示している拡大図である。ガイド板１０底部を半円形状５に設け、さらに、半円形状５の突起部１１ａを左端部に設けられている。そして、多角形状の回転軸７の頂点部８をL字状にカットして爪１４と、軸受板の装着部に取り付けるため前記記載の多角形状の回転軸７には、支持軸８挿通用穴６を設けられている。
以下本発明の実施例３の図１７から図１８に基づいて説明する。
【００４７】
図１７は、ラチェット機構１３aを構成しているガイド板１０の底部と多角形状の回転軸７を示している拡大図である。ガイド板１０底部を半円形状５に設け、さらに、半円形状５中央部に突起部１１bを設けられている。そして、多角形状の回転軸７の頂点部８を逆L字状にカットして爪１４aと、軸受板の装着部に取り付けるため前記記載の多角形状の回転軸７には、支持軸８挿通用穴６を設けられている。
【００４８】
図１８は、図６は、図５のラチェット機構１３aを構成しているガイド板１０の底部と多角形状の回転軸７を示している拡大図である。ガイド板１０底部を半円形状５に設け、さらに、半円形状の中央部右端部に突起部１１cを設けられている。そして、多角形状の回転軸７の頂点部８を逆L字状にカットして爪１４aと、軸受板の装着部に取り付けるため前記記載の多角形状の回転軸７には、支持軸８挿通用穴６を設けられている。
【００４９】
上記記載の図６と図１６に示すように、突起部１１，１１ａと爪１４の作用により先進回転時は可能であるが、後退時は回転不可能であり、図１７と図１８の場合は、前記記載の突起部１１ｂ、１１ｃと爪１４ａを設けられている方向が異なるために、前進時の場合は回転不可能であり、後退時は回転可能になる
ようラチェット機構を構成されている
産業用の利用可能性
【００５０】
本発明の回転歯ブラシの場合の柄部に設けられている突起部及び多角形状の回転軸双方共に、弾性を有するプラスチック材料を使用し、射出成形機等で非常に簡単であり、製造コストも非常に安く、そのため、安価で提供可能である。
【図面の簡単な説明】
【００５１】
本発明の実施例１の図１から図１３について説明する。
【図１】図１は、ブラシ部を構成する柄部を示す正面図。
【図２】図２は、図１のA‐A’方向を示す正面図。
【図３】図３は、多角形状の回転軸と装着用支持軸を示す斜視図。
【図４】図４は、図３の回転軸を支持軸で装着した状態を示す柄部底面図。
【図５】図５は、図４のB―B’方向を示す拡大断面図。
【図６】図６は、図５の底部を示す拡大断面図。
【図７】図７は、外周を山型形状に設けたブラシ材を示す平面図。
【図８】図８は、柄部に図７のブラシ材を装着した回転歯ブラシの正面図。
【図９】図９は、外周を多角形状に設けたブラシ材を示す平面図。
【図１０】図１０は、柄部に図９のブラシ材を装着した回転歯ブラシの正面図。
【図１１】図１１は、外周を円形形状に設けたブラシ材を示す平面図。
【図１２】図１２は、柄部に図１１のブラシ材を装着した回転歯ブラシ正面図。
【図１３】図１３は、図８のC―C’方向を示す断面図
【図１４】図１４は、図３の回転軸を支持軸で装着した状態を示す柄部底面図。
【図１５】図１５は、図１４のD―D’方向を示す拡大断面図
【図１６】図１６は、図１５の底部を示す拡大断面図。
【図１７】図１７は、図６の突起部と爪の方向が異なる拡大断面図。
【図１８】図１８は、図１６の突起部と爪の方向が異なる拡大断面図。
【符号の説明】
【００５２】
回転歯ブラシ     １                                                            先端部           ２                                                            柄部             ３                                                            軸受板           ４，４a                                                        半円形状         ５                                                            挿通用穴         ６                                                            多角形状の回転軸 ７                                                            頂点部           ８                                                            LＬ字状           ９                                                            ガイド板        １０，１０a                                                    突起部          １１，１１a  ，１１ｂ，１１ｃ                                  装着部          １２                                                            ラチェット機構  １３、１３a                                                    爪              １４，１４a                                                    ブラシ材        １５                                                            開口部          １６                                                            溶着部          １７                                                            支持軸          １８    
山型形状        １９  
多角形状        ２０
円形形状        ２１
方向            Ａ―Ａ’,  B―B’,  C―C’,  Ｄ−Ｄ’
【要約】
【課題】従来の回転歯ブラシの場合は、歯磨き時ただ左右前後に歯の表面を回転するだけであり、さらに、ブラシ材を装着している左右一対の軸受板との間に前記ブラシ材のシートが左右に移動しないようはめ込まれていることにより、洗浄時ブラ材の隙間に入った残留物が除去し難くかつた。
【解決手段】
柄部の左右一対の軸受板の内側に設けたガイド板底部の半円形状の突起部と、ブラシ材を装着する多角形状の回転軸の頂点部に設けた爪との作用により、歯磨き前進時一定の摩擦抵抗を超えた場合回転可能であり、かつ、後退時は回転不可能であり、また、突起部と爪を逆方向に設けることにより前進時は回転不可能であり、後退時は回転可能になるラチェット機構に構成された回転歯ブラシを提供する。
【選択図】図６【図１】
0005706564.tif 000002
【図２】
0005706564.tif 000003
【図３】
0005706564.tif 000004
【図４】
0005706564.tif 000005
【図５】
0005706564.tif 000006
【図６】
0005706564.tif 000007
【図７】
0005706564.tif 000008
【図８】
0005706564.tif 000009
【図９】
0005706564.tif 000010
【図１０】
0005706564.tif 000011
【図１１】
0005706564.tif 000012
【図１２】
0005706564.tif 000013
【図１３】
0005706564.tif 000014
【図１４】
0005706564.tif 000015
【図１５】
0005706564.tif 000016
【図１６】
0005706564.tif 000017
【図１７】
0005706564.tif 000018
【図１８】
0005706564.tif 000019